(57)【要約】      （修正有）【課題】使用時に空気循環ファンの送風集束の距離を調整し、送風距離及び強度を調整することで、室内空気の循環効果をより高めることができる空気循環ファンを提供する。【解決手段】空気循環ファンは、ハウジング１００及び伸縮式集風カバー２００を含み、ハウジングは吸気口及び排気口を有し、内部にファン羽根及びファン羽根の回転を駆動するための駆動アセンブリが設けられ、伸縮式集風カバーはハウジングの排気口に設けられ、伸縮式集風カバーの伸縮を制御することで伸縮式集風カバーの排気口とファン羽根との間の距離を調整し、空気循環ファンの集束距離の調整を実現することができ、伸縮制御装置はアウターダクトの吸気端に設けられるスライダーと、ハウジングに回転可能に設けられるインナーダクトと、インナーダクトを駆動してハウジングに対して回転させるための回転駆動装置と、ハウジングに設けられるストッパとを含む。【選択図】図１
0003228835.tif 000002
【実用新案登録請求の範囲】
【請求項１】
吸気口及び排気口を有し、内部にファン羽根及び前記ファン羽根の回転を駆動するための駆動アセンブリが設けられるハウジングと、
前記ハウジングの排気口に設けられる伸縮式集風カバーとを含み、
前記伸縮式集風カバーの伸縮を制御することで前記伸縮式集風カバーの排気口と前記ファン羽根との間の距離を調整し、さらに、前記空気循環ファンの集束距離の調整を実現することを特徴とする空気循環ファン。
【請求項２】
前記伸縮式集風カバーは、
アウターダクトであって、吸気口及び排気口を有し、前記アウターダクトの吸気端が伸縮方向に沿って前記ハウジングにスライド可能に設けられるアウターダクトと、
前記アウターダクトの排気口をカバーするように設けられるデフレクタグリッドと、
前記アウターダクトが前記ハウジングに対してスライドするように駆動するための伸縮制御装置とを含むことを特徴とする請求項１に記載の空気循環ファン。
【請求項３】
前記アウターダクトは前記デフレクタグリッド、前記ハウジングとそれぞれ密封接続されることを特徴とする請求項２に記載の空気循環ファン。
【請求項４】
前記伸縮制御装置は、
前記アウターダクトの吸気端に設けられるスライダーと、
インナーダクトであって、前記ハウジングに回転可能に設けられ、前記インナーダクトに前記スライダーが第１方向に沿ってスライドするための第１シュータが設けられるインナーダクトと、
前記インナーダクトを駆動して前記ハウジングに対して回転させるための回転駆動装置と、
前記ハウジングに設けられ、前記アウターダクトの移動軌跡を制限し、前記インナーダクトに伴う回転を防ぐためのストッパとを含み、
ここで、前記第１方向と前記アウターダクトの伸縮方向とは鋭角を成して設けられ、前記インナーダクトを駆動して前記ハウジングに対して回転させるときに、前記スライダーは、前記第１シュータの側壁に押されて前記アウターダクトを駆動して伸縮方向に沿って往復移動させることができることを特徴とする請求項２に記載の空気循環ファン。
【請求項５】
前記ストッパは、
支持筒であって、前記ハウジング内に固定されて設けられ、前記インナーダクトが前記支持筒に嵌設されかつ前記支持筒に対して回転でき、前記アウターダクトが前記支持筒内に嵌着され、前記支持筒に前記アウターダクトの伸縮方向に沿って延びている第２シュータが設けられ、前記スライダーが前記第２シュータを通って前記第１シュータ内まで延び、かつ前記第２シュータと前記第１シュータの交差点に位置する支持筒を含むことを特徴とする請求項４に記載の空気循環ファン。
【請求項６】
前記スライダー、前記第１シュータ及び前記第２シュータはそれぞれ３つ設けられており、３つの前記第１シュータは周方向に沿って前記インナーダクトに間隔を置いて設けられ、３つの前記第２シュータは周方向に沿って前記支持筒に間隔を置いて設けられ、３つの前記スライダーは３つの前記第１シュータ及び３つの前記第２シュータとそれぞれ対応することを特徴とする請求項５に記載の空気循環ファン。
【請求項７】
前記回転駆動装置は、
前記支持筒に回転可能に設けられ、前記ハウジングを通って前記ハウジングの外まで延びているグリップ部と、前記インナーダクトと回転可能に接続されるためのギアとを有するノブと、
前記インナーダクトに設けられ、前記ギアと噛み合うためのラック構造とを含むことを特徴とする請求項５に記載の空気循環ファン。
【請求項８】
前記ラック構造は、
第３シュータであって、前記ギアを収容しかつ前記ギアがスライドするために用いられ、前記第３シュータの側壁には前記ギアと噛み合うためのラックが設けられる第３シュータを含むことを特徴とする請求項７に記載の空気循環ファン。
【請求項９】
前記デフレクタグリッドに気流を螺旋状で導出するための螺旋グリッドバーが設けられ、
前記アウターダクトの内壁に、螺旋状で、かつ前記螺旋グリッドバーの螺旋と同方向であるダクトライフルが設けられることを特徴とする請求項２から８のいずれか一項に記載の空気循環ファン。
【請求項１０】
前記空気循環ファンはさらに、
前記ハウジングの底部に回転可能に設けられるブラケットを含むことを特徴とする請求項１から８のいずれか一項に記載の空気循環ファン。
【考案の詳細な説明】
【技術分野】
【０００１】
本考案は、家電の技術分野に属し、より具体的には、空気循環ファンに関する。
【背景技術】
【０００２】
空気循環ファンは、風を一定の方向に沿って螺旋状で吹き出すことができ、ファン羽根の回転につれて、最終的には、螺旋状の円柱状風を形成することができ、より良い指向性を有する。従来の空気循環ファンは、ファンモータとファン羽根の組み合わせによって送風集束の距離及び強さが固定されており、風力の大きさしか調整できなかったが、送風集束の距離が制御できず、循環ファンの配置位置を常に変えてこそ、室内空気をできるだけ循環させることができるという問題が少なくとも従来技術に存在することは、本考案の実施にあたり、本考案者が見出した。
【考案の概要】
【考案が解決しようとする課題】
【０００３】
本考案の実施例は、従来の空気循環ファンの集束距離が調整できないことで、空気循環効果が悪いという技術的問題を解決するように、空気循環ファンを提供することを目的とする。
【課題を解決するための手段】
【０００４】
１つの態様にて提供される空気循環ファンは、
吸気口及び排気口を有し、内部にファン羽根及び前記ファン羽根の回転を駆動するための駆動アセンブリが設けられるハウジングと、
前記ハウジングの排気口に設けられる伸縮式集風カバーとを含み、
前記伸縮式集風カバーの伸縮を制御することで前記伸縮式集風カバーの排気口と前記ファン羽根との間の距離を調整し、さらに、前記空気循環ファンの集束距離の調整を実現する。
【０００５】
さらに、前記伸縮式集風カバーは、
アウターダクトであって、吸気口及び排気口を有し、前記アウターダクトの吸気端が伸縮方向に沿って前記ハウジングにスライド可能に設けられるアウターダクトと、
前記アウターダクトの排気口をカバーするように設けられるデフレクタグリッドと、
前記アウターダクトが前記ハウジングに対してスライドするように駆動するための伸縮制御装置とを含む。
【０００６】
さらに、前記アウターダクトは前記デフレクタグリッド、前記ハウジングとそれぞれ密封接続される。
【０００７】
さらに、前記伸縮制御装置は、
前記アウターダクトの吸気端に設けられるスライダーと、
インナーダクトであって、前記ハウジングに回転可能に設けられ、前記インナーダクトに前記スライダーが第１方向に沿ってスライドするための第１シュータが設けられるインナーダクトと、
前記インナーダクトを駆動して前記ハウジングに対して回転させるための回転駆動装置と、
前記ハウジングに設けられ、前記アウターダクトの移動軌跡を制限し、前記インナーダクトに伴う回転を防ぐためのストッパとを含み、
ここで、前記第１方向と前記アウターダクトの伸縮方向とは鋭角を成して設けられ、前記インナーダクトを駆動して前記ハウジングに対して回転させるときに、前記スライダーは、前記第１シュータの側壁に押されて前記アウターダクトを駆動して伸縮方向に沿って往復移動させることができる。
【０００８】
さらに、前記ストッパは、
支持筒であって、前記ハウジング内に固定されて設けられ、前記インナーダクトが前記支持筒に嵌設されかつ前記支持筒に対して回転でき、前記アウターダクトが前記支持筒内に嵌着され、前記支持筒に前記アウターダクトの伸縮方向に沿って延びている第２シュータが設けられ、前記スライダーが前記第２シュータを通って前記第１シュータ内まで延び、かつ前記第２シュータと前記第１シュータの交差点に位置する支持筒を含む。
【０００９】
さらに、前記スライダー、前記第１シュータ及び前記第２シュータはそれぞれ３つ設けられており、３つの前記第１シュータは周方向に沿って前記インナーダクトに間隔を置いて設けられ、３つの前記第２シュータは周方向に沿って前記支持筒に間隔を置いて設けられ、３つの前記スライダーは３つの前記第１シュータ及び３つの前記第２シュータとそれぞれ対応する。
【００１０】
さらに、前記回転駆動装置は、
前記支持筒に回転可能に設けられ、前記ハウジングを通って前記ハウジングの外まで延びているグリップ部と、前記インナーダクトと回転可能に接続されるためのギアとを有するノブと、
前記インナーダクトに設けられ、前記ギアと噛み合うためのラック構造とを含む。
【００１１】
さらに、前記ラック構造は、
第３シュータであって、前記ギアを収容しかつ前記ギアがスライドするために用いられ、前記第３シュータの側壁には前記ギアと噛み合うためのラックが設けられる第３シュータを含む。
【００１２】
さらに、前記デフレクタグリッドに気流を螺旋状で導出するための螺旋グリッドバーが設けられ、
前記アウターダクトの内壁に、螺旋状で、かつ前記螺旋グリッドバーの螺旋と同方向であるダクトライフルが設けられる。
【００１３】
さらに、前記空気循環ファンはさらに、
前記ハウジングの底部に回転可能に設けられるブラケットを含む。
【考案の効果】
【００１４】
上記技術的解決手段における１つの技術的解決手段は、従来技術に比べ、ハウジングの排気口に伸縮式集風カバーが設けられ、使用時に伸縮式集風カバーの伸縮を制御することにより空気循環ファンの送風集束の距離を調整し、さらに、送風距離及び強度を調整することで、室内空気の循環効果をより高めるという有益な効果を有する。
【図面の簡単な説明】
【００１５】
本考案の実施例における技術的解決手段をより明確に説明するために、以下は、実施例又は従来技術の説明に必要な図面を簡単に紹介し、明らかに、以下に記載の図面は、本考案のいくつかの実施例に過ぎず、当業者は、創造的な作業なしにこれらの図面に従って他の図面を入手することができる。
【図１】本考案の実施例にて提供される空気循環ファンの構造概略図である。
【図２】本考案の実施例に用いられる伸縮式集風カバーの分解立体構造図である。
【図３】本考案の実施例に用いられるインナーダクトの立体構造概略図である。
【図４】本考案の実施例に用いられる伸縮式集風カバーの立体構造概略図である。
【図５】図４におけるＡの部分拡大図である。
【考案を実施するための形態】
【００１６】
本考案が解決しようとする技術的問題、技術的解決手段及び有益な効果をより明確にするために、以下は添付の図面及び実施例と併せて本考案についてさらに詳細に説明する。本明細書に記載される具体的な実施例は、本考案を解釈するためにのみ用いられ、本考案を限定するものではないことが理解されるべきである。
【００１７】
図１を参照し、本考案の実施例にて提供される空気循環ファンについて説明する。前記空気循環ファンは、ハウジング１００及び伸縮式集風カバー２００を含む。ハウジング１００は吸気口及び排気口を有し、内部にファン羽根及びファン羽根の回転を駆動するための駆動アセンブリが設けられる。伸縮式集風カバー２００はハウジング１００の排気口に設けられる。
【００１８】
使用時に伸縮式集風カバー２００の伸縮を制御することにより伸縮式集風カバー２００の排気口とファン羽根との間の距離を調整することで、空気循環ファンの集束距離の調整を実現することができる。
【００１９】
本実施例における伸縮式集風カバー２００は、ハウジング１００に固定され、伸縮機能を有する集風カバーを採用してもよく、ハウジング１００にスライド可能に設けられ、集風カバーがハウジング１００に対してスライドするように駆動することにより集風カバーの排気口からファン羽根までの距離を調整して、さらに伸縮機能を実現する集風カバーを採用してもよく、具体的には、使用要求に応じて選択でき、集風カバーの排気口からファン羽根までの距離を調整できる限り、他の集風カバーを選択してもよい。
【００２０】
従来技術と比較して、本考案の実施例にて提供される空気循環ファンは、ハウジング１００の空気出口に伸縮式集風カバー２００が設けられ、使用時に空気循環ファンは、伸縮式集風カバー２００の伸縮を制御することにより空気循環ファンの送風集束の距離を調整し、さらに、送風距離及び強度を調整することで、室内空気の循環効果をより高めることができる。
【００２１】
図２乃至図４を併せて参照すると、本考案にて提供される空気循環ファンの具体的な実施形態として、伸縮式集風カバー２００はアウターダクト２１０と、デフレクタグリッド２２０と、伸縮制御装置２３０とを含む。
【００２２】
アウターダクト２１０は吸気口及び排気口を有し、アウターダクト２１０の吸気端はハウジング１００にスライド可能に設けられる。デフレクタグリッド２２０はアウターダクト２１０の排気口をカバーするように設けられる。伸縮制御装置２３０はアウターダクト２１０画ハウジング１００に対して前方に延びるか又は後方に後退するように駆動するために用いられる。
【００２３】
使用時に、伸縮制御装置２３０により、アウターダクト２１０がハウジング１００に対してスライドするように駆動し、さらにアウターダクト２１０の排気口が前方に延びるか又は後方に後退するように制御し、さらに、アウターダクト２１０の排気口とファン羽根との間の距離の調整を実現する。
【００２４】
なお、ここでいう前方、後方とは、風の吹き出し方向に応じるものであり、アウターダクト２１０の排気口はアウターダクト２１０の前端であり、アウターダクト２１０の吸気口はアウターダクト２１０の後端である。
【００２５】
本実施例における伸縮制御装置２３０は、ハウジング１００に固定されて設けられ、駆動端がアウターダクト２１０に接続されるシリンダー、油圧シリンダー又は上記機能を実現できる他の伸縮制御装置２３０であってもよい。
【００２６】
本考案にて提供される空気循環ファンの具体的な実施形態として、アウターダクト２１０はデフレクタグリッド２２０、ハウジング１００とそれぞれ密封接続される。
【００２７】
本実施例において、アウターダクト２１０は、伸縮式集風カバー２００自体及びそれとハウジング１００との接続箇所の気密性を確保し、さらに、空気循環ファンの集風効果を確保するように、従来のシール部材又はシール構造により、デフレクタグリッド２２０と密封接続され、ハウジング１００とスライド可能に密封接続される。
【００２８】
図２乃至図５を併せて参照すると、本考案にて提供される空気循環ファンの具体的な実施形態として、伸縮制御装置２３０はアウターダクト２１０の吸気端に設けられるスライダー２３１と、ハウジング１００に回転可能に設けられるインナーダクト２３２と、インナーダクト２３２を駆動してハウジング１００に対して回転させるための回転駆動装置と、ハウジング１００に設けられるストッパとを含む。
【００２９】
インナーダクト２３２にスライダー２３１が第１方向に沿ってスライドするための第１シュータ２３３が設けられる。ストッパはアウターダクト２１０の移動軌跡を制限し、インナーダクト２３２に伴う回転を防ぐ。ここで、第１方向とアウターダクト２１０の伸縮方向とは鋭角を成して設けられ、インナーダクト２３２を駆動してハウジング１００に対して回転させるときに、スライダー２３１は、第１シュータ２３３の側壁に押されてアウターダクト２１０を駆動して伸縮方向に沿って往復移動させることができる。
【００３０】
本実施例において、回転駆動装置は、モーター、ラックアンドピニオン構造、又はインナーダクト２３２を駆動してハウジング１００に対して回転させることができる他の装置であってもよく、具体的には、使用要求に応じて設定でき、ここで限定しない。ストッパは、アウターダクト２１０が伸縮方向に沿ってのみスライド可能で、インナーダクト２３２に伴って回転できないように規制するために用いられ、その具体的な構造は、上記機能を実現できるものであれば、使用要求に応じて設定でき、例えば、伸縮方向に沿ってアウターダクト２１０にスライド可能に接続されるスライドレール、シュータなどを用いる。
【００３１】
さらに、スライダー２３１は円柱状であり、スライダー２３１の第１シュータ２３３内における円滑なスライドを保証する。
【００３２】
図２乃至図４を併せて参照すると、本考案にて提供される空気循環ファンの具体的な実施形態として、ストッパは、ハウジング１００内に固定されて設けられる支持筒２３５を含む。インナーダクト２３２は支持筒２３５に嵌設されかつ支持筒２３５に対して回転でき、アウターダクト２１０は支持筒２３５内に嵌着され、第２シュータ２３４は支持筒２３５に設けられ、スライダー２３１は第２シュータ２３４を通って第１シュータ２３３内まで延び、かつ第２シュータ２３４と第１シュータ２３３の交差点に位置する。
【００３３】
使用時、回転駆動装置により、インナーダクト２３２の回転を制御し、さらに、第１シュータ２３３の回転を実現し、この時、第１シュータ２３３と第２シュータ２３４との交差点が第２シュータ２３４の延伸方向に沿って移動することで、アウターダクト２１０におけるスライダー２３１が第１シュータ２３３の側壁に押されて第２シュータ２３４に沿って前後に移動するようにさせ、さらに、ハウジング１００に対するアウターダクト２１０のスライドを実現する。上記プロセスでは、スライダー２３１は、第１シュータ２３３及び第２シュータ２３４の交差点に常に位置している。
【００３４】
具体的には、インナーダクト２３２は、支持筒２３５とハウジング１００とで囲まれたキャビティ内に位置している。アウターダクト２１０及びアウターダクト２１０とハウジング１００との接続構造はいずれもハウジング１００内に設けられ、これによって空気循環ファン全体の構造の美観を確保しつつ、アウターダクト２１０の動きが外的要因に影響されにくくなり、空気循環ファン全体の構造及び動作性能の安定性を確保する。
【００３５】
上記構造が簡単で、操作しやすく、かつアウターダクト２１０の突出長さの正確な調整を実現できる。
【００３６】
具体的には、スライダー２３１は複数設けられており、各スライダー２３１は、体積が小さく、かつアウターダクト２１０の外壁に位置し、さらに伸縮式集風カバー２００の良好な気密性を効果的に保証する。
【００３７】
図２乃至図４を併せて参照すると、本考案にて提供される空気循環ファンの具体的な実施形態として、スライダー２３１、第１シュータ２３３及び第２シュータ２３４はそれぞれ３つ設けられており、３つの第１シュータ２３３は周方向に沿ってインナーダクト２３２に間隔を置いて設けられ、３つの第２シュータ２３４は周方向に沿って支持筒２３５に間隔を置いて設けられ、３つのスライダー２３１は３つの第１シュータ２３３及び３つの第２シュータ２３４とそれぞれ対応する。
【００３８】
スライダー２３１、第１シュータ２３３及び第２シュータ２３４はそれぞれ３つ設けられており、アウターダクト２１０の力受けの安定性を保証し、さらに支持筒２３５に対するアウターダクト２１０の円滑なスライドを保証する。
【００３９】
図１を参照すると、本考案にて提供される空気循環ファンの具体的な実施形態として、空気循環ファンは、ハウジング１００の底部に設けられるブラケット５００をさらに含む。
【００４０】
使用時に、ハウジング１００とブラケット５００との間の角度を調整することにより、空気循環ファンの吹出し角度を変えることができ、冷風の広がる範囲がより広くなり、室内の空気循環効果がさらに向上する。
【００４１】
図３を参照すると、本考案にて提供される空気循環ファンの具体的な実施形態として、回転駆動装置は、支持筒２３５に回転可能に設けられるノブ３００と、インナーダクト２３２に設けられ、ギア３２０と噛み合うためのラック構造４００とを含む。ノブ３００は、ハウジング１００を通ってハウジング１００の外まで延びているグリップ部３１０と、インナーダクト２３２と回転可能に接続されるためのギア３２０とを有する。
【００４２】
使用時に、ノブ３００を回転させることにより、ギア３２０は、ラック構造４００を駆動し、インナーダクト２３２をハウジング１００に対して回転させることになる。全体の構造が簡単で、操作しやすい。
【００４３】
本実施例において、ラック構造４００は、インナーダクト２３２の表面に設けられ、インナーダクト２３２と一致する形状を有するラック、又は上記機能を実現できる他のラック構造４００であってもよい。
【００４４】
図３乃至図４を併せて参照すると、本考案にて提供される空気循環ファンの具体的な実施形態として、ラック構造４００はギア３２０を収容しかつギア３２０がスライドするために用いられる第３シュータ４１０を含み、第３シュータ４１０の片側の側壁にはギア３２０と噛み合うためのラック４２０が設けられる。
【００４５】
具体的には、第３シュータ４１０は、インナーダクト２３２を厚み方向に貫通する帯状の孔であり、帯状の孔内にギア３２０が位置することで、ギア３２０とラック構造４００とからなるラックアンドピニオン構造の占有スペースを効果的に節約し、空気循環ファン構造全体をコンパクト化して安定化する。
【００４６】
図２を参照すると、本考案にて提供される空気循環ファンの具体的な実施形態として、デフレクタグリッド２２０に気流を螺旋状で導出するための螺旋グリッドバーが設けられる。アウターダクト２１０の内壁に、螺旋状で、かつ螺旋グリッドバーの螺旋と同方向であるダクトライフルが設けられる。
【００４７】
伸縮式集風カバー２００、ダクトライフル及び螺旋グリッドバーが相互に組み合わせることで、空気循環ファンの送風集束の距離を自由に調整している間、風が、周囲に散らばることなく、安定的に集合することを確保することができる。
【００４８】
上述した内容は、本考案の好ましい実施例に過ぎず、本考案を限定するためのものではない。本考案の趣旨及び原則の範囲内で行われる補正、同等な置換及び改善などは、いずれも本考案の保護範囲に含まれるべきである。
【符号の説明】
【００４９】
１００...ハウジング、２００...伸縮式集風カバー、２１０...アウターダクト、２２０...デフレクタグリッド、２３０...伸縮制御装置、２３１...スライダー、２３２...インナーダクト、２３３...第１シュータ、２３４...第２シュータ、２３５...支持筒、３００...ノブ、３１０...グリップ部、３２０...ギア、４００...ラック構造、４１０...第３シュータ、４２０...ラック、５００...ブラケット。
【図１】
0003228835.tif 000003
【図２】
0003228835.tif 000004
【図３】
0003228835.tif 000005
【図４】
0003228835.tif 000006
【図５】
0003228835.tif 000007